(57)【要約】【課題】子供を含む作業者によるスイッチの誤作動を防止することができ、製造上、及び構成上のバラツキに影響されにくい安価なインタロックスイッチ機構を提供する。【解決手段】プリンタ本体と、プリンタ本体に対して開閉可能に設けられたカバー３との間に設けられたインタロックスイッチ機構において、プリンタ本体に設けられたスイッチ４と保護カバー６との間には、ガイド穴６ａを貫通した突起５をさらに貫通させる穴であって作業者の指の侵入を規制する規制穴７ａを有する規制部材７が保護カバー６に対して移動可能に設けられ、カバー３が閉じられる際に突起５が規制部材７に当接した場合、突起５が規制穴７ａを貫通する貫通方向（Ｄ方向）に交差する方向に規制部材７が移動することで、突起５が規制穴７ａに入るように構成されている。【選択図】図２
2010054592.tif 000002
【特許請求の範囲】
【請求項１】
電子機器本体と、前記電子機器本体に対して開閉可能に設けられた開閉部材とのうちいずれか一方に設けられたスイッチと、
前記電子機器本体と前記開閉部材とのうち他方に設けられ、前記開閉部材の開閉動作に伴って前記スイッチに離接することにより前記スイッチを開閉させるスイッチ作動部材と、
前記スイッチを覆うように前記一方に設けられ、前記スイッチ作動部材を貫通させる貫通穴を有する保護部材と、
を備えたインタロックスイッチ機構において、
前記保護部材と前記スイッチとの間には、前記貫通穴を貫通した前記スイッチ作動部材をさらに貫通させる穴であって作業者の指の侵入を規制する規制穴を有する規制部材が前記保護部材に対して移動可能に設けられ、
前記開閉部材が閉じられる際に前記スイッチ作動部材が前記規制部材に当接した場合、前記スイッチ作動部材が前記規制穴を貫通する貫通方向に交差する方向に前記規制部材が移動することで、前記スイッチ作動部材が前記規制穴に入ることを特徴とするインタロックスイッチ機構。
【請求項２】
前記規制部材と前記スイッチとの間には、前記貫通穴及び前記規制穴を貫通した前記スイッチ作動部材が当接する第１当接部と、前記スイッチ作動部材が前記第１当接部に当接することで前記スイッチに当接する第２当接部とを有するリンク部材が設けられ、
前記開閉部材の開閉動作に伴って前記スイッチ作動部材が前記第１当接部に離接することにより、前記第２当接部が前記スイッチに離接することで前記スイッチが開閉されることを特徴とする請求項１に記載のインタロックスイッチ機構。
【請求項３】
前記規制部材のうち前記規制穴が開けられた穴部の内壁は、前記貫通方向に直交する方向のうち少なくとも一方向の幅が、前記貫通方向下流側に向かって徐々に狭くなるように構成されていることを特徴とする請求項１又は２に記載のインタロックスイッチ機構。
【請求項４】
電子機器本体と、前記電子機器本体に対して開閉可能に設けられた開閉部材とのうちいずれか一方に設けられたスイッチと、
前記電子機器本体と前記開閉部材とのうち他方に設けられ、前記開閉部材の開閉動作に伴って前記スイッチに離接することにより前記スイッチを開閉させるスイッチ作動部材と、
を備えたインタロックスイッチ機構において、
前記スイッチ作動部材を貫通させる穴であって作業者の指の侵入を規制する規制穴を有する保護部材が、前記スイッチを覆うように前記一方に設けられ、
前記スイッチ作動部材は、前記他方に対して移動可能に設けられ、前記開閉部材が閉じられる際に前記スイッチ作動部材が前記保護部材に当接した場合、前記スイッチ作動部材が前記規制穴を貫通する貫通方向に交差する方向に移動して前記規制穴に入ることを特徴とするインタロックスイッチ機構。
【請求項５】
前記保護部材と前記スイッチとの間には、前記規制穴を貫通した前記スイッチ作動部材が当接する第１当接部と、前記スイッチ作動部材が前記第１当接部に当接することで前記スイッチに当接する第２当接部とを有するリンク部材が設けられ、
前記開閉部材の開閉動作に伴って前記スイッチ作動部材が前記第１当接部に離接することにより、前記第２当接部が前記スイッチに離接することで前記スイッチが開閉されることを特徴とする請求項４に記載のインタロックスイッチ機構。
【請求項６】
前記保護部材のうち前記規制穴が開けられた穴部の内壁は、前記貫通方向に直交する方
向のうち少なくとも一方向の幅が、前記貫通方向下流側に向かって徐々に狭くなるように構成されていることを特徴とする請求項４又は５に記載のインタロックスイッチ機構。
【請求項７】
装置本体に対して開閉可能に設けられた開閉部材と、
装置本体と前記開閉部材との間に設けられた請求項１乃至６のいずれか１項に記載のインタロックスイッチ機構と、
を備え、記録材に画像を形成することを特徴とする画像形成装置。
【発明の詳細な説明】
【技術分野】
【０００１】
本発明は、インタロックスイッチ機構に関し、特に、インタロックスイッチ機構を備えた、複写機、プリンタなどの画像形成装置に関するものである。
【背景技術】
【０００２】
従来、複写機・プリンタ等の事務処理装置には、インタロックスイッチが設けられており、開閉部側に設けられた突起部が、本体側に設けられたスイッチを押圧する構成が用いられていた。
【０００３】
このため、例えばメンテナンス時などで、カバーを開いた場合には、突起部がスイッチから離間して作業者の安全を確保していた。
【０００４】
さらに、スイッチの周囲を覆う保護カバーを設け、保護カバーにスイッチを押圧する突起部が貫通可能なガイド穴を設けることで、カバーを開いた際に作業者が誤ってスイッチを押圧しないように構成させたものがあった。
【特許文献１】特開平８−２８５１８３号公報
【発明の開示】
【発明が解決しようとする課題】
【０００５】
近年、事務処理装置が広く普及し、子供も事務処理装置に触れる機会が多くなってきた。
【０００６】
このため、従来のガイド穴の形状では、子供が誤って指を入れてしまい、インタロックスイッチを作動させてしまう可能性があった。
【０００７】
しかしながら、ガイド穴は、突起部が貫通可能な形状（大きさ）が必要であり、また、製造上、及び構成上のバラツキを考慮して、突起部とガイド穴との間には貫通した状態で隙間が必要である。このため、従来の構成では、子供の指が入らないようなガイド穴を構成することは困難な場合があった。
【０００８】
本発明は上記したような事情に鑑みてなされたものであり、子供を含む作業者によるスイッチの誤作動を防止することができ、製造上、及び構成上のバラツキに影響されにくい安価なインタロックスイッチ機構を提供することを目的とする。
【課題を解決するための手段】
【０００９】
上記目的を達成するために本発明にあっては、
電子機器本体と、前記電子機器本体に対して開閉可能に設けられた開閉部材とのうちいずれか一方に設けられたスイッチと、
前記電子機器本体と前記開閉部材とのうち他方に設けられ、前記開閉部材の開閉動作に伴って前記スイッチに離接することにより前記スイッチを開閉させるスイッチ作動部材と、
前記スイッチを覆うように前記一方に設けられ、前記スイッチ作動部材を貫通させる貫通穴を有する保護部材と、
を備えたインタロックスイッチ機構において、
前記保護部材と前記スイッチとの間には、前記貫通穴を貫通した前記スイッチ作動部材をさらに貫通させる穴であって作業者の指の侵入を規制する規制穴を有する規制部材が前記保護部材に対して移動可能に設けられ、
前記開閉部材が閉じられる際に前記スイッチ作動部材が前記規制部材に当接した場合、前記スイッチ作動部材が前記規制穴を貫通する貫通方向に交差する方向に前記規制部材が移動することで、前記スイッチ作動部材が前記規制穴に入ることを特徴とする。
【００１０】
電子機器本体と、前記電子機器本体に対して開閉可能に設けられた開閉部材とのうちいずれか一方に設けられたスイッチと、
前記電子機器本体と前記開閉部材とのうち他方に設けられ、前記開閉部材の開閉動作に伴って前記スイッチに離接することにより前記スイッチを開閉させるスイッチ作動部材と、
を備えたインタロックスイッチ機構において、
前記スイッチ作動部材を貫通させる穴であって作業者の指の侵入を規制する規制穴を有する保護部材が、前記スイッチを覆うように前記一方に設けられ、
前記スイッチ作動部材は、前記他方に対して移動可能に設けられ、前記開閉部材が閉じられる際に前記スイッチ作動部材が前記保護部材に当接した場合、前記スイッチ作動部材が前記規制穴を貫通する貫通方向に交差する方向に移動して前記規制穴に入ることを特徴とする。
【発明の効果】
【００１１】
本発明によれば、子供を含む作業者によるスイッチの誤作動を防止することができ、製造上、及び構成上のバラツキに影響されにくい安価なインタロックスイッチ機構を提供することが可能となる。
【発明を実施するための最良の形態】
【００１２】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００１３】
図１は、本発明の実施例１に係るインタロックスイッチ機構を用いた画像形成装置（電子機器）としてのプリンタ１の概略斜視図である。図４は、本実施例のプリンタ１の概略構成を説明するための断面図である。
【００１４】
まず、図４を用いて、本実施例のプリンタ１の画像形成動作について説明する。
【００１５】
図４において、１０２は電子写真方式により画像形成を行う画像形成部である。この画像形成部１０２はトナー像（現像剤像）を形成する像担持体としての感光体ドラム１０３、感光体ドラム１０３に形成されたトナー像を記録材Ｐに転写する転写ローラ１０４などを備えている。
【００１６】
このような構成の画像形成部１０２において、画像形成動作が開始されると、まずレーザスキャナにより画像信号に応じた光Ｌが感光体ドラム１０３に照射される。すると、このような光Ｌが照射されることで、感光体ドラム１０３上に潜像が形成される。
【００１７】
次に、感光体ドラム１０３上に形成された潜像が、トナーカートリッジ１０５に収納された現像剤としてのトナーで現像されることにより、感光体ドラム１０３上にトナー画像（可視像）が形成される。また、このようなトナー画像形成動作に並行して記録材収納カセットから記録材Ｐが給送される。すると、この記録材Ｐは、搬送ローラ及びレジストローラによって感光体ドラム１０３に形成されたトナー画像と同期をとって感光体ドラム１０３と転写ローラ１０４とにより構成される転写部に搬送される。
【００１８】
そして、この転写部において、転写ローラ１０４にバイアスが印加されることによってトナー画像が記録材Ｐへ転写される。
【００１９】
このようなトナー画像が転写された記録材Ｐは、この後、定着装置１０６へ搬送され、この定着装置１０６において加熱されることによりトナー画像が記録材Ｐに定着される。
【００２０】
次に、本実施例のインタロックスイッチ機構について説明する。
【００２１】
図１に示すように、プリンタ１は、プリンタ本体（装置本体、電子機器本体）２と、プリンタ本体２に開閉自在（開閉可能）に設けられた開閉部材としてのカバー３からなり、カバー３は、作業者がメンテナンス等を行う時に開かれる。なお、本実施例において、作業者とは子供を含むものであり、子供を含む作業者であっても単に作業者という場合もある。
【００２２】
プリンタ本体２には、図示しない電源スイッチとは別に、スイッチ４が設けられており、スイッチ４は切替部材４ａを有している。また、カバー３には、カバー３を閉じたときに切替部材４ａに当接して（切替部材４ａを操作して）、スイッチ４を押圧する（スイッチ４を閉じる）スイッチ作動部材としての突起５が設けられている。
【００２３】
そして、カバー３が開かれたときには、突起５が切替部材４ａから離間することによりスイッチ４が切れて（スイッチ４が開いて）、プリンタ１の稼動を規制している。
【００２４】
このように、プリンタ１には、カバー３の開閉動作に伴って突起５が切替部材４ａに離接することによりスイッチ４が開閉されるインタロックスイッチ機構が設けられている。
【００２５】
また、プリンタ本体２には、カバー３を開いた場合に、作業者が誤ってスイッチ４に当接してしまうのを防止する保護部材としての保護カバー６がスイッチ４を覆うように設けられている。
【００２６】
次に、カバー３が開かれた状態から、カバー３が閉じられて突起５がスイッチ４を押圧することでスイッチ４を作動させるまでの状態について、図２（ａ）〜（ｃ）を用いて説明する。
【００２７】
図２（ａ）は、図１に示すプリンタ１におけるカバー３が開いた状態のインタロックスイッチ機構を示す概略断面図である。図２（ｂ）は、図１に示すプリンタ１におけるカバー３が閉じ始めた状態のインタロックスイッチ機構を示す概略断面図である。図２（ｃ）は、図１に示すプリンタ１におけるカバー３が閉じた状態のインタロックスイッチ機構を示す概略断面図である。
【００２８】
図２（ａ）に示すように、保護カバー６には、カバー３に設けられた突起５を貫通させるための幅Ａを有する貫通穴としてのガイド穴６ａが設けられている。
【００２９】
ガイド穴６ａは、カバー３に設けられた突起５が、製造上や構成上のバラツキや、部品間のガタ、部品の変形などによって、図中一点鎖線で示した本来の開閉軌跡（突起５の移動経路）からずれた場合でも、突起５が貫通してスイッチ４に当接可能な形状である。
【００３０】
ここで、保護カバー６のみでは、子供の指がガイド穴６ａを貫通して、スイッチ４に当接してしまうことが懸念される。
【００３１】
このため、本実施例では、図２（ａ）に示すように、規制部材７が、プリンタ本体２において保護カバー６とスイッチ４との間に保持され、かつ、保護カバー６に対して矢印Ｃ方向に移動自在（移動可能）に設けられている。この規制部材７には、突起５は貫通可能であるが、子供を含む作業者の指は貫通しない形状（大きさ）の規制穴７ａが設けられている。ここで、矢印Ｃ方向は、突起５が規制穴７ａを貫通する際の貫通方向（突起５が規制穴７ａを貫通する際に移動する移動方向）に交差する方向であり、前記貫通方向に直交する方向であるとより好ましい。
【００３２】
本実施例では、規制穴７ａの形状は長方形のスリット形状としている。そして、図２（ａ）に示すように、長方形のスリット形状のうち短辺の幅Ｂは、子供を含む作業者の指が規制穴７ａから侵入しないように（規制穴７ａを貫通しないように）、子供を含む作業者の指よりも狭くなっている。
【００３３】
また、規制部材７のうち規制穴７ａが開けられた穴部の内壁には、テーパ面７ｂが設けられている。
【００３４】
ここで、テーパ面７ｂは、突起５が規制穴７ａを貫通する際に移動する貫通方向下流側に向かって徐々に狭くなるように構成されている。ここで、突起５が規制穴７ａを貫通する際に移動する貫通方向（移動方向）は、図２（ａ）においてＤ方向となる。
【００３５】
なお、本実施例においては、図２に示すように、長方形のスリット形状のうち、長辺を含むようにそれぞれ対向して設けられた面をテーパ形状としているが、これに限るものではない。すなわち、突起５が規制穴７ａを貫通する際に移動する貫通方向（Ｄ方向）に直交する方向のうち少なくとも一方向の幅が、Ｄ方向下流側に向かって徐々に狭くなるように構成されるものであればよい。そして前記一方向は、カバー３に設けられた突起５が、製造上のバラツキや、部品間のガタ、部品の変形などによって、図中一点鎖線で示した本来の開閉軌跡からずれてしまうことが懸念される方向であるとよい。
【００３６】
以下、カバー３が閉じられた場合について説明する。
【００３７】
カバー３が閉じ始めると、図２（ｂ）に示すように、突起５の当接部５ａが規制部材７に設けられたテーパ面７ｂに当接する。すると、規制部材７は、保護カバー６に移動自在に保持されているため、当接部５ａから受ける力の分力によって図２（ｂ）に示す矢印Ｅ方向に移動させられ、突起５が貫通可能な位置まで移動する。
【００３８】
そして、さらにカバー３が閉じられると、図２（ｃ）に示すように、突起５が規制部材７に設けられた規制穴７ａを貫通して、当接部５ａがスイッチ４と当接することでスイッチ４が閉じ、プリンタ１が稼動可能状態となる。
【００３９】
本実施例によれば、以上のような簡単な構成により、製造上、及び構成上のバラツキや、部品間のガタ、部品の変形などに影響を受けることなく、突起５が規制穴７ａを貫通し、スイッチ４を動作させることが可能になる。
【００４０】
さらに、子供を含む作業者が誤ってスイッチ部分に指を入れてしまうことを防止することができるので、子供を含む作業者によるスイッチの誤作動を防止することができ、子供が誤ってスイッチ部分に指を入れた状態でプリンタが稼動してしまうことを防止できる。
【００４１】
このように、本実施例では、子供を含む作業者によるスイッチの誤作動を防止することができ、製造上、及び構成上のバラツキに影響されにくい安価なインタロックスイッチ機構を提供することが可能となる。
【００４２】
尚、本実施例においては、図２（ａ）〜（ｃ）に示すように、突起５が、直接スイッチ４を押圧するように構成されているが、これに限るものではない。すなわち、突起５とスイッチ４の間にリンク部材（実施例２で説明するリンク部材１７）等を設けても、本実施例における効果及び利点が同様に得ることができる。また、リンク部材等を設けることで、スイッチ４を適宜、より好適な位置に配設できるので、設計の自由度の大きいインタロックスイッチ機構を構成することができる。
【００４３】
また、本実施例においては、プリンタ本体２にスイッチ４が設けられ、カバー３に突起５が設けられているが、これに限るものではない。すなわち、プリンタ本体２とカバー３とのうちいずれか一方にスイッチ４が設けられ、他方に突起５が設けられるものであればよい。
【実施例２】
【００４４】
以下に、本発明の実施例２について説明する。なお、本実施例のプリンタ構成は、上述した実施例１と同様の構成であり、実施例１と同様の構成部分については同一の符号を付してその説明は省略する。
【００４５】
図３（ａ）〜（ｃ）を用いて、カバー３が開かれた状態から、カバー３が閉じられて突起５がスイッチ４を押圧してスイッチ４を作動させるまでの状態について説明する。
【００４６】
図３（ａ）は、本実施例のカバー３が開いた状態のインタロックスイッチ機構を示す概略断面図である。図３（ｂ）は、カバー３が閉じ始めた状態のインタロックスイッチ機構を示す概略断面図である。図３（ｃ）は、カバー３が閉じた状態のインタロックスイッチ機構を示す概略断面図である。
【００４７】
突起５は、図３（ａ）に示すように、カバー３に対して矢印Ｆ方向に移動自在に保持されている。ここで、矢印Ｆ方向は、突起５が後述する規制穴１６ａを貫通する際の貫通方向（突起５が規制穴１６ａを貫通する際に移動する移動方向）に交差する方向であり、前記貫通方向に直交する方向であるとより好ましい。
【００４８】
また、プリンタ本体２には、カバー３を開いた場合に、作業者が誤ってスイッチ４に当接してしまうのを防止する保護部材としての保護カバー１６が設けられている。さらに、本実施例において、保護カバー１６には、図３（ａ）に示すように、カバー３に設けられた突起５を貫通させるための幅Ｇを有する規制穴１６ａが設けられている。
【００４９】
規制穴１６ａは、突起５が、製造上のバラツキや、部品間のガタ、部品の変形などによって、図中一点鎖線で示した本来の開閉軌跡（突起５の移動経路）からずれた場合でも、突起５が規制穴１６ａを貫通してリンク部材１７に当接可能な形状である。
【００５０】
ここで、保護カバー１６のうち規制穴１６ａが開けられた穴部の内壁には、テーパ面１６ｂが設けられている。テーパ面１６ｂは、突起５が規制穴１６ａを貫通する際に移動する貫通方向（図３（ａ）に示すＩ方向）下流側に向かって徐々に狭くなるように構成されている。
【００５１】
突起５が規制穴１６ａを貫通する場合、規制穴１６ａの入口に設けられたテーパ面１６ｂにガイドされて突起５がカバー３に対して移動することで、突起５が規制穴１６ａを貫通することとなる。
【００５２】
さらに、本実施例の保護カバー１６の規制穴１６ａは、子供を含む作業者の指は貫通し
ない形状（大きさ）に設けられている。
【００５３】
規制穴１６ａの形状は、本実施例においても実施例１同様、長方形のスリット形状としている。そして、図３（ａ）に示すように、長方形のスリット形状のうち短辺の幅Ｇは、子供を含む作業者の指が規制穴１６ａに入らないように（規制穴１６ａを貫通しないように）、子供を含む作業者の指よりも狭くなっている。
【００５４】
なお、本実施例においては、図３に示すように、長方形のスリット形状のうち、長辺を含むようにそれぞれ対向して設けられた面をテーパ形状としているが、これに限るものではない。すなわち、突起５が規制穴１６ａを貫通する際に移動する貫通方向（Ｉ方向）に直交する方向のうち少なくとも一方向の幅が、Ｉ方向下流側に向かって徐々に狭くなるように構成されるものであればよい。そして前記一方向は、カバー３に設けられた突起５が、製造上のバラツキや、部品間のガタ、部品の変形などによって、図中一点鎖線で示した本来の開閉軌跡からずれてしまうことが懸念される方向であるとよい。
【００５５】
本実施例においては、保護カバー１６とスイッチ４との間にリンク部材１７が設けられている。リンク部材１７は、突起５と当接可能な第１当接部１７ａと、スイッチ４の切替部材４ａに当接可能な第２当接部１７ｂとを有し、支軸１７ｃに回転自在に設けられている。そして、規制穴１６ａを貫通した突起５に第１当接部１７ａが押圧されることで、リンク部材１７が矢印Ｈ方向に回転し、第２当接部１７ｂがスイッチ４の切替部材４ａに当接する構成になっている。
【００５６】
以下、カバー３が閉じられた場合について説明する。
【００５７】
カバー３が閉じ始めると、図３（ｂ）に示すように、突起５の当接部５ａが保護カバー１６に設けられた規制穴１６ａのテーパ面１６ｂに当接する。すると、突起５は、カバー３に移動自在に保持されているため、テーパ面１６ｂから受ける力の分力によって図３（ｂ）に示す矢印Ｊ方向に移動させられ、規制穴１６ａを貫通可能な位置まで移動する。
【００５８】
そして、さらにカバー３が閉じられると、図３（ｃ）に示すように、突起５が保護カバー１６に設けられた規制穴１６ａを貫通して、当接部５ａがリンク部材１７に当接してリンク部材１７を矢印Ｈ方向に回転させる。
【００５９】
これにより、リンク部材１７がスイッチ４と当接することでスイッチ４が閉じ、プリンタ１が稼動可能状態となる。
【００６０】
本実施例によれば、以上のような簡単な構成により、製造上、及び構成上のバラツキや、部品間のガタ、部品の変形などに影響を受けることなく、突起５が規制穴１６ａを貫通しスイッチ４を動作させることが可能になる。
【００６１】
さらに、子供を含む作業者が誤ってスイッチ部分に指を入れてしまうことを防止することができるので、子供を含む作業者によるスイッチの誤作動を防止することができ、子供が誤ってスイッチ部分に指を入れた状態でプリンタが稼動してしまうことを防止できる。
【００６２】
このように、本実施例では、子供を含む作業者によるスイッチの誤作動を防止することができ、製造上、及び構成上のバラツキに影響されにくい安価なインタロックスイッチ機構を提供することが可能となる。また、本実施例のようにリンク部材１７を設けることで、スイッチ４を適宜、より好適な位置に配設できるので、設計の自由度の大きいインタロックスイッチ機構を構成することができる。
【００６３】
尚、本実施例にあたっては、図３（ａ）〜（ｃ）に示すように、リンク部材１７は、回転自在に設けられた１部品で構成されているが、２つ以上の部品やリンク機構等で構成しても、本実施例における効果及び利点が同様に得ることができる。また、実施例１のように、リンク部材１７を設けることなくインタロックスイッチ機構が構成されるものであってもよい。
【図面の簡単な説明】
【００６４】
【図１】本発明の実施例１に係るインタロックスイッチ機構を用いたプリンタの概略斜視図である。
【図２】（ａ）はプリンタのカバーが開けられた状態のインタロックスイッチ機構を示す概略断面図、（ｂ）はプリンタのカバーを閉じ始めた状態のインタロックスイッチ機構を示す概略断面図、（ｃ）はプリンタのカバーが閉じられた状態のインタロックスイッチ機構を示す概略断面図である。
【図３】（ａ）は本発明の実施例２のプリンタのカバーが開けられた状態のインタロックスイッチ機構を示す概略断面図、（ｂ）はプリンタのカバーを閉じ始めた状態のインタロックスイッチ機構を示す概略断面図、（ｃ）はプリンタのカバーが閉じられた状態のインタロックスイッチ機構を示す概略断面図である。
【図４】本発明の実施例１に係るプリンタの概略構成を説明するための断面図である。
【符号の説明】
【００６５】
１  プリンタ
２  プリンタ本体
３  カバー
４  スイッチ
５  突起
５ａ  当接部
６  保護カバー
７  規制部材
【図１】
2010054592.tif 000003
【図２】
2010054592.tif 000004
【図３】
2010054592.tif 000005
【図４】
2010054592.tif 000006